(57)【要約】【課題】制限エリアのアドホックネットワークの位置情報に基づくチャンネルパワー調整方法とシステムを提供する。【解決手段】該方法は、複数のアドホックネットワークの位置情報に基づいて位置の優先順位を設定する第一設定ステップと、少なくとも部分的に前記アドホックネットワークの位置の優先順位に基づき、所定規則を満たす第1チャンネルで作動する第一アドホックネットワーク内の設備のパワーを第1チャンネルの第一パワーに調整する第一パワー調整ステップと、を含む。【選択図】図１
2015097388.tif 000002
【特許請求の範囲】
【請求項１】
複数のアドホックネットワークの位置情報に基づいて位置の優先順位を設定する第一設定ステップと、
少なくとも部分的に前記アドホックネットワークの位置の優先順位に基づき、所定規則を満たす第1チャンネルで作動する第一アドホックネットワーク内の設備のパワーを第1チャンネルの第一パワーに調整する第一パワー調整ステップと、を含む、
制限エリアのアドホックネットワークの位置情報に基づくチャンネルパワー調整方法。
【請求項２】
前記所定規則を満たす第1チャンネルで作動する第一アドホックネットワークは、
位置の優先順位が所定位置の優先順位よりも高いアドホックネットワークと、
位置の優先順位が最高のアドホックネットワークと、のうちのいずれかを含み、
前記第1チャンネルの第一パワーは、所定パワーよりも大きいパワーまたは最大パワーである、請求項1に記載の方法。
【請求項３】
複数のアドホックネットワークの送信すべきデータ種別からデータ種別の優先順位を設定する第二設定ステップをさらに含み、
前記第一パワー調整ステップは、さらに、
前記アドホックネットワークの位置の優先順位とデータ種別の優先順位に基づいて、所定規則を満たす第1チャンネルで作動する第一アドホックネットワーク内の設備のパワーを第1チャンネルの第一パワーに調整することを含む、請求項1に記載の方法。
【請求項４】
前記所定規則を満たす第1チャンネルで作動する第一アドホックネットワークは、
位置の優先順位とデータ種別の優先順位の加重結果が所定レベルよりも高いアドホックネットワークと、
位置の優先順位とデータ種別の優先順位の加重結果が最高となる一つまたは複数のアドホックネットワークと、のうちのいずれかを含み、
前記第1チャンネルの第一パワーは、所定パワーよりも大きいパワーまたは最大パワーである、請求項3に記載の方法。
【請求項５】
第1チャンネルで作動する第一アドホックネットワークを除く第二アドホックネットワーク内の設備の前記第一アドホックネットワーク内の設備へのパワー影響がゼロまたは所定影響値未満になるように、前記第二アドホックネットワーク内の設備のパワーの大きさを調整する第二パワー調整ステップを含む、請求項1に記載の方法。
【請求項６】
前記第二パワー調整ステップは、
前記第二アドホックネットワークの第1チャンネルで作動する第一アドホックネットワークを除く第三アドホックネットワークへのパワー影響が前記第三アドホックネットワーク内の設備のパワー干渉許容限度未満になるように、前記第二アドホックネットワーク内の設備のパワーの大きさを調整することを含む、請求項5に記載の方法。
【請求項７】
前記第三アドホックネットワーク内の設備のパワー干渉許容限度は、前記第一アドホックネットワーク内の設備の前記第三アドホックネットワーク内の設備へのパワー影響を考慮しない、請求項6に記載の方法。
【請求項８】
前記複数のアドホックネットワークの位置情報に基づいて、前記複数のアドホックネットワークに対して作動チャンネルを割り当て、同一の第1チャンネルで作動するアドホックネットワーク間の距離が所定距離を上回るようにする第一パワー調整ステップ前のチャンネル割当ステップを含む、請求項1に記載の方法。
【請求項９】
前記第一パワー調整ステップは、前記アドホックネットワーク内のマスターノード設備が行う、請求項1に記載の方法。
【請求項１０】
複数のアドホックネットワークの位置情報に基づいて位置の優先順位を設定する第一設定装置と、
少なくとも部分的に前記アドホックネットワークの位置の優先順位に基づき、所定規則を満たす第1チャンネルで作動する第一アドホックネットワーク内の設備のパワーを第1チャンネルの第一パワーに調整する第一パワー調整装置と、を含む、
制限エリアのアドホックネットワークの位置情報に基づくチャンネルパワー調整システム。
【発明の詳細な説明】
【技術分野】
【０００１】
本発明は通信分野に関し、より具体的には制限エリアのアドホックネットワークの位置情報に基づくチャンネルパワー調整方法とシステムに関するものである。
【背景技術】
【０００２】
密集した無線チャンネルを使用する場合、2.4G通信技術のWiFi  802.11b/gまたはWiFi-Direct環境では、通常、オフィスでよく使う周波数帯域の重ならないチャンネルは、第1チャンネル（2412MHｚ）、第6チャンネル（2437 MHｚ）、第11チャンネル（2462MHｚ）であり、発展中の5G通信技術では、5.725〜5.825GHｚの4つの使用可能なチャンネルがある。同一チャンネルを共有するアドホックネットワークの数の増加に伴い、これらのアドホックネットワーク間に生じる同一チャンネル干渉も増加している。あるアドホックネットワーク内部で重要なデータを送信する必要がある場合、当該アドホックネットワーク上のデータ通信QoSも保証されない可能性が出てきた。
【０００３】
LEEなどが2007年6月14日に公開した「Transmission  power  control  over  a  wireless  ad-hoc  network」というタイトルの米国特許出願公開番号第20070133483A1号では、隣接設備の干渉を防止するチャンネル選択方法が開示されている。具体的には正常レベルと強化レベルの二種類の送信パワーを定義し、それぞれは正常なデータの送信と干渉衝突の検出に用いられる。しかし、この案は設備の位置から位置の優先順位を定義する概念ではなく、隣接設備間の送信正常順位と強化順位に対するデータ種別から相応の正常データ送信と衝突回避を行うだけのものであった。また一つの設備のパワー調整にかかわるのみで、アドホックネットワークを単位とするアドホックネットワーク内部ノードの協力パワー調整にかかわるものではない。
【０００４】
SAFFREなどが2006年9月28日に公開した「Decentralized  channel  selection  in  a  self-organizing  adhoc  network」というタイトルの米国特許出願公開第20060217062A1号では無線チャンネルリソース調整方法が開示されている。通常、端末ノードが他のノードからの送信要求及び関連する通信QoS（Quality  of  Service，QoS）要求を受け取り、その後、当該要求の所持している情報及び当該要求信号のメトリックから送信パワーを決定する。この案は一つの端末設備が他のノードの送信要求とQoS要求に適応して送信パワーを決定することにかかわるのみで、端末設備の位置情報と位置の優先順位にかかわるものでも、アドホックネットワークを単位とするアドホックネットワーク内部ノードの協力パワー調整にかかわるものでもない。
【０００５】
HAAS等が2002年1月10日に公開した「Adaptive  Power  Control  for  Wireless  Networks」というタイトルの国際PTC出願公開番号WO0203567A2においては、事前測定により、あるその他ノードに達した送信パワーをルックアップテーブルにし、あるその他ノードと通信する必要があるたびに、まず当該ルックアップテーブルにより必要な送信パワーを決定する移動ノード送信パワー制御方法を公開した。この案は一つの端末設備が事前測定した送信パワーとQoSの関係から一定のQoSを保証する送信パワーを決定することにかかわるのみで、端末設備の位置情報と位置の優先順位にはかかわるものでも、アドホックネットワークを単位とするアドホックネットワーク内部ノードの協力パワー調整にかかわるものでもない。
【０００６】
そのため、依然としてQoSをさらに確実に保証するアドホックネットワークに対するチャンネルパワー調整の技術が求められる。
【発明の概要】
【発明が解決しようとする課題】
【０００７】
本発明の目的は、制限エリアのアドホックネットワークの位置情報に基づくチャンネルパワー調整方法とシステムを提供することにある。
【課題を解決するための手段】
【０００８】
本発明の一つの面においては、複数のアドホックネットワークの位置情報に基づいて位置の優先順位を設定する第一設定ステップと、少なくとも部分的に前記アドホックネットワークの位置の優先順位に基づき、所定規則を満たす第1チャンネルで作動する第一アドホックネットワーク内の設備のパワーを第1チャンネルの第一パワーに調整する第一パワー調整ステップと、を含む制限エリアのアドホックネットワークの位置情報に基づくチャンネルパワー調整方法を提供する。
【０００９】
本発明の別の面においては、複数のアドホックネットワークの位置情報に基づいて位置の優先順位を設定するように配置された第一設定装置と、少なくとも部分的に前記アドホックネットワークの位置の優先順位に基づき、所定規則を満たす第1チャンネルで作動する第一アドホックネットワーク内の設備のパワーを第1チャンネルの第一パワーに調整するように配置された第一パワー調整装置と、を含む制限エリアのアドホックネットワークの位置情報に基づくチャンネルパワー調整システムを提供する。
【００１０】
このように、制限エリアのアドホックネットワークの位置情報に基づくチャンネルパワー調整技術を提供できる。
【図面の簡単な説明】
【００１１】
【図１】本発明実施例の制限エリアのアドホックネットワークの位置情報に基づくチャンネルパワー調整方法例のフローチャートである。
【図２Ａ】図1に示す制限エリアのアドホックネットワークの位置情報に基づくチャンネルパワー調整方法の第一設定ステップ例の応用シーン略図である。
【図２Ｂ】アドホックネットワークの初期化例のフローチャートである。
【図２Ｃ】アドホックネットワークの初期化例の応用シーン略図である。
【図２Ｄ】アドホックネットワークの位置の優先順位と選択的なデータ種別の優先順位及び選択的なパワー干渉許容限度を含むパワー調整参考表を示す図である。
【図３】本発明の別の実施例の制限エリアのアドホックネットワークの位置情報に基づくチャンネルパワー調整方法例のフローチャートである。
【図４】複数のアドホックネットワーク内の設備のチャンネルパワー調整方法例の運行シーケンス略図である。
【図５】図5Ａおよび図5Ｂは、本発明実施例の第二パワー調整ステップの調整過程例の略図である。
【図６】本発明の別の実施例の制限エリアのアドホックネットワークの位置情報に基づくチャンネルパワー調整システム例のブロック図である。
【発明を実施するための形態】
【００１２】
本発明を実施するための形態を参考に、図面に本発明例を示した。発明を実施するための形態を組み合わせて本発明を説明するが、本発明は説明した実施例に限るものではなく、請求項に限定されている本発明の精神と範囲内に含まれる変更、修正と等価物をカバーするものである。注意すべきことは、ここで説明する方法ステップは、いかなる機能ブロックまたは機能配置でも実現でき、かつ、いかなる機能ブロックまたは機能配置でも物理的実体または論理的実体、または両者の組み合わせとして実現できる。
【００１３】
当業者が本発明をより良く理解できるように、以下、図面と発明を実施するための形態を組み合わせて本発明について詳しく説明する。
【００１４】
本発明の「アドホックネットワーク」、「制限エリア」、「エリア制限ネットワーク」は物理的方式で人がその範囲の唯一の境界を制御と任意調整するためのエリアまたはネットワークである。当該制限エリア内の認証ワイヤレスモバイル設備間では従来の無線通信方式により相互通信できるが、当該制限エリア内の認証ワイヤレスモバイル設備は未認証のワイヤレスモバイル設備及び制限エリア外のその他ワイヤレスモバイル設備と通信できない。制限エリアの例は一つまたは複数の赤外線発射装置が発射した赤外線の交点により唯一境界を定めたエリア、一つまたは複数のライト発射装置が発射した光線の交点により唯一境界を定めたエリア（その中で当該ライト発射装置が発射した光線は良好な指向性を備え、好ましくは発光ダイオード（Light  Emitting  Diode，LED）の光である）、一つまたは複数のマイクロ波発射装置が発射したマイクロ波の交点により唯一境界を定めたエリア、近距離無線通信（Near  Field  Communication，NFC）技術の制限エリア、その他信号がカバーする制限エリアなどを含むが、これに限らない。以上からわかるように、制限エリアは物理層の概念であり、かつ明確な境界を持っている。
【００１５】
本発明の「エリアキー」は唯一境界を定めた制限区域に用い、一つまたは複数のエリアキー発射装置から発射し、その中で、当該エリアキー発射装置は赤外線発射装置、ライト（好ましくはLED）発射装置、マイクロ波発射装置などでよく、当該エリアキーは赤外線が携帯、ライトが携帯、マイクロ波が携帯などできる。当該エリアキーはエリア識別子（Identifier，ID）、ランダムキー、タイムスタンプ、及び/またはその他情報などを含むことができる。エリアキー内のエリアID情報は唯一制限エリアの境界を定めるのに用いることができ、通常はあらかじめ設定し、かつ固定で変わらないものである。この後、例を挙げて、フィボナッチ数列（Fibonacci  Sequence）を利用してこのようなエリアIDを生成することで、どのようにしてこのようなエリアIDを利用して唯一制限エリアの境界を定めるのか詳細に説明する。しかし、エリアIDを利用して唯一制限エリアの境界を定める方法は、当該フィボナッチ数列方式に限らない。エリアキー内のランダムキーは安全通信期間にPTKとGTKの計算中（以下で説明）に埋め込むのに用いる。当該ランダムキーはエリアキーを発射するのに用いるエリアキー発射装置が定期的または不定期に生み出すことができる。ランダムキーを生み出すと同時に、当時のタイムスタンプを記録でき、当該タイムスタンプもエリアキーの中に含まれる。
【００１６】
ここでは、「ノード」を使用してモバイル設備を指す。ここで言及した「マスターノード」は、その他ノードを管理できるモバイル設備を指し、その他モバイル設備が制限エリアに入るのを監視する、制限エリアに入ったその他モバイル設備を認証する、その他モバイル設備が制限エリアから離れたのを監視する等の動作の一つまたは複数を行うことができる。ここで言及した「スレーブノード」は同一制限エリア内のマスターノードとしてのモバイル設備を除くその他モバイル設備を指す。
【００１７】
その他の具体的な「アドホックネットワーク」、「制限エリア」、「エリア制限ネットワーク」及びマスターノードの生成、スレーブノードの認証、マスターノードとスレーブノードの加入、脱出などの説明は、同じ出願者の2013年2月22日に中国国家知識産権局に提出された中国特許出願番号2013110056656.0の明細書を参考にでき、それを引用できるため、ここでは詳しく述べない。
【００１８】
図1は、本発明実施例の制限エリアのアドホックネットワークの位置情報に基づくチャンネルパワー調整方法例のフローチャートである。
【００１９】
図1に示す制限エリアのアドホックネットワークの位置情報に基づくチャンネルパワー調整方法100は、複数のアドホックネットワークの位置情報に基づいて位置の優先順位を設定する第一設定ステップS101、少なくとも部分的に前記アドホックネットワークの位置の優先順位に基づき、所定規則を満たす第1チャンネルで作動する第一アドホックネットワーク内の設備のパワーを第1チャンネルの第一パワーに調整する第一パワー調整ステップS102を含む。
【００２０】
ここでは、当該複数のアドホックネットワークの位置情報は、例えば各アドホックネットワークの同一階層上にある二次元分布位置でも、または、例えばアドホックネットワークの異なる階層上にある三次元分布位置でもよい。また当該第一設定ステップS101 は、各アドホックネットワーク内のマスターノードが実行しても、オペレーターが実行しても、または専用の制御設備が実行してもよいなど、本発明はこれを制限しない。当該第1チャンネルの第一パワーは、所定パワーよりも大きいパワーまたは最大パワーでよい。
【００２１】
そのため、当該実施例では、複数のアドホックネットワークの位置情報から位置の優先順位を設定でき、例えば、会社のメイン会議室内のアドホックネットワークに対して最高の位置の優先順位を設定し、一方で会社の喫茶室のアドホックネットワークに対して最低の位置の優先順位を設定するなどできる。このようにして、少なくとも部分的に前記アドホックネットワークの位置の優先順位に基づいて、所定規則を満たす第1チャンネルで作動する第一アドホックネットワーク内の設備のパワーを第1チャンネルの第一パワーに調整するとき、当該実施例では、例えば、当該会社のメイン会議室内のアドホックネットワーク内の（モバイルまたは有線）通信設備間の通信のパワーをその作動チャンネルの最大パワーに調整できる。さらに、各アドホックネットワークの位置の優先順位は定期的または不定期に調整でき、このようにして高優先順位のアドホックネットワークを動的に設定できる。例えば、重要なお客様が会社の喫茶室に座っているとき、リアルタイムで喫茶室のアドホックネットワークの位置の優先順位を高く調整し、重要なお客様の喫茶室内での通信設備間の通信を高いパワーに調整し、重要なお客様の喫茶室内でのデータ通信または送信を速くできる（即ち、QoSが高い）。
【００２２】
ここで、注意すべきことは、第1チャンネルの所定パワーよりも高いパワーまたは最大パワーは予め第1チャンネルの帯域幅、第1チャンネルを共有するアドホックネットワークの数などから設定できることである。
【００２３】
このようにして、高い位置の優先順位を備えた第1チャンネルで作動するアドホックネットワーク内の設備は第1チャンネルの大きい（または最大）パワーに調整され、当該位置の優先のアドホックネットワーク、例えばメイン会議室内の各通信設備間のデータ通信またはデータ送信が使用できるパワーを大きく（または最大に）することで、このようなデータ通信またはデータ送信のQoSを高くし、例えば当該メイン会議室はVIP（Very  Important  Person）ルームと同じようになる。
【００２４】
一実施例では、前記所定規則を満たす第1チャンネルで作動する第一アドホックネットワークは、位置の優先順位が所定位置の優先順位よりも高いアドホックネットワーク、位置の優先順位が最高のアドホックネットワークのいずれか一つを含む。つまり、位置の優先順位の高いアドホックネットワーク内の設備は、大きいパワーまたは最大パワーを持つように調整されることができる。
【００２５】
一実施例では、当該チャンネルパワー調整方法100は、複数のアドホックネットワークの送信すべきデータ種別からデータ種別の優先順位を設定する第二設定ステップS103（図面には未表示）を含む。前記第一パワー調整ステップS102は、前記アドホックネットワークの位置の優先順位とデータ種別の優先順位に基づいて、所定規則を満たす第1チャンネルで作動する第一アドホックネットワーク内の設備のパワーを第1チャンネルの第一パワーに調整することを含む。当該実施例では、データ種別はデータのリアルタイム要求またはQoS要求の高さから区分でき、例えば、ある方式で区分したデータ種別は例えばリアルタイムデータ（例えば、動画またはその他リアルタイム要求の高いデータ）、非リアルタイムデータ（例えば、テキストまたはその他リアルタイム要求の低いデータ）、ベストエフォートデータ（例えば、電子メールなどのできる限りリアルタイムなデータ）などを含むことができる。データ種別の優先順位を第1チャンネルの所定パワーよりも高いパワーまたは最大パワーに調整するときに考慮すべき条件の一つとして追加し、例えば前述のVIPルーム内でデータ送信がない、または非リアルタイムデータ送信しかしない場合、第1チャンネルの所定パワーよりも高いパワーまたは最大パワーをその他非VIPルームのアドホックネットワーク内の設備に臨時調整してリアルタイムデータの送信を行う。当然のことながら、当該データ種別は、例えばWiMax標準で提起されているアンソリシテッドグラントサービス（Unsolicited  Grant  Service，UGS）、リアルタイムポーリングサービス（Real-time  Polling  Service，rtPS）、非リアルタイムポーリングサービス（Non-real-time  Polling  Service，nrtPS）、ベストエフォートデータ（Best  Effort，BE）、拡張的rtPSデータ等のその他方式でも区分できる。各データ種別内でさらにサブデータ種別に区分でき、例えば、リアルタイムデータ内でさらにリアルタイム要求の異なるサブデータ種別に区分でき、例を以下の表1に示す。
【表１】
2015097388.tif 000003
【００２６】
当然のことながら、データ種別の区分方式はこれに限るものではなく、区分した異なるデータ種別が異なるQoS要求を必要としていればよい。
【００２７】
一実施例では、前記所定規則を満たす第1チャンネルで作動する第一アドホックネットワークは、位置の優先順位とデータ種別の優先順位の加重結果が所定順位よりも高いアドホックネットワーク、位置の優先順位とデータ種別の優先順位の加重結果が最高の一つまたは複数のアドホックネットワークのいずれか一つを含む。ここでは、二つの条件、位置の優先順位とデータ種別の優先順位を考慮してパワー調整を行っているため、この二つの条件に加重して得た大きさを比較するのに用いる加重結果を採用でき、それによって当該加重結果が高くて高いパワーを得られる調整を確定する。しかし、本発明はこれに限るものではなく、二つの条件を組み合わせて考えた他のいずれの方法もこれに応用でき、例えばVIPルームが非リアルタイムデータを送信する時のみ、リアルタイムデータまたはベストエフォートデータを送信すべきその他アドホックネットワークを高いパワーに調整するよう考慮するように予め設定しておくなどで、ここでは詳しく述べない。
【００２８】
一実施例では、当該チャンネルパワー調整方法100は、第1チャンネルで作動する第一アドホックネットワークを除く第二アドホックネットワーク内の設備のパワーの大きさを調整することで、前記第二アドホックネットワーク内の設備の前記第一アドホックネットワーク内の設備へのパワー影響をゼロまたは所定影響値未満にする第二パワー調整ステップS104（図面には未表示）を含む。即ち、第二アドホックネットワークのパワーのカバー範囲は当該第一アドホックネットワークの境界に入らない。当該実施例の第二パワー調整ステップS104は、例えば前述のVIPルームの絶対的VIPは、最大のパワーを有し、その同一チャンネルを共有するその他アドホックネットワーク内の同一チャンネル干渉を受けない（またはあまり受けない）ことを保証し、それによって例えばVIPルームの当該第一アドホックネットワーク内の送信するデータが非常に早く、かつミスが小さいことを保証する（即ち、QoSが高い）。このように、さらに第一アドホックネットワーク内のQoSが高いことを保証している場合、第二アドホックネットワークのパワーをできる限り大きくできる。
【００２９】
一実施例では、前記第二パワー調整ステップS104は、前記第二アドホックネットワーク内の設備のパワーの大きさを調整することで、前記第二アドホックネットワークの第1チャンネルで作動する第一アドホックネットワークを除く第三アドホックネットワークへのパワー影響が前記第三アドホックネットワーク内の設備のパワー干渉許容限度未満にすることを含む。当該実施例では、さらに、例えばVIPルームの第一アドホックネットワークを除くその他同一チャンネルのアドホックネットワーク間のパワー影響が耐えられるパワー干渉許容限度を超えないようにする。当該パワー干渉許容限度は、当該アドホックネットワークが最大限耐えられるパワー干渉を表す。当該パワー干渉許容限度は、当該パワー干渉許容限度を超えないときアドホックネットワーク内のQoSは悪くなることはなく、当該パワー干渉許容限度を超えるときQoSは急激に悪くなることを意味する。当該パワー干渉許容限度の例示的定義と計算方式はサイトhttp://en.wikipedia.org/wiki/Noise_temperatureを参考にし、またはPaul  J  Kolodzyのタイトルを「Interference  temperature：a  metric  of  dynamic  spectrum  utilization」とする［外国語定期刊行物］2006(06)  doi：10.1002/nem.608の中から探し出すことができ、それを引用できるため、ここでは詳しく述べない。このように、つまり、第二アドホックネットワークのパワーのカバー範囲は第三アドホックネットワークの境界に入ることができるが、当該第三アドホックネットワーク内の設備のパワー干渉許容限度を超えない。このようにして、第三アドホックネットワークのQoSが悪くならないように保証されている場合、第二アドホックネットワークのパワーをできる限り大きくできる。
【００３０】
一実施例では、前記第三アドホックネットワーク内の設備のパワー干渉許容限度は前記第一アドホックネットワーク内の設備の前記第三アドホックネットワーク内の設備へのパワー影響を考慮しなくてもよい。このようにするのは、第一アドホックネットワーク内の設備が調整するパワーを大きくし、その他の同一チャンネルのアドホックネットワークが当該第一アドホックネットワーク内の設備が調整するパワーのカバー範囲によってそのパワー干渉許容限度を下げないのを保証するためである。
【００３１】
このようにして、同一チャンネルの全てのアドホックネットワークが前記第二パワー調整ステップS104を経た場合、最高優先の第一アドホックネットワークのパワーが高くなる以外、その他アドホックネットワークのパワーの大きさは、第一アドホックネットワークに影響しない（またはあまり影響しない）ように調整され、そのQoSが比較的よく、かつその他アドホックネットワークのパワー干渉許容限度を超えないことでその他アドホックネットワークのQoSが悪くならないように保証している。
【００３２】
一実施例では、当該チャンネルパワー調整方法100は、前記複数のアドホックネットワークの位置情報に基づいて、前記複数のアドホックネットワークに対して作動するチャンネルを割り当てることで同じ第1チャンネルで作動するアドホックネットワーク間の距離が所定距離を上回るようにする第一パワー調整ステップ前のチャンネル割当ステップS105（図面には未表示）を含む。当該チャンネル割当ステップは、各アドホックネットワークの初期化（即ち生成）時に行っても、第一パワー調整ステップ前のいずれの時刻に行ってもよい。当該チャンネル割当ステップは、既知のマルチチャンネル割当技術を採用でき、例えば現時刻の各チャンネルの同一チャンネル干渉指示値を監視することで、同一チャンネル干渉指示値が最小のチャンネルを作動チャンネルなどとする方式を選択できる。当該同一チャンネル干渉指示値は当該チャンネルを共有する全てのアドホックネットワークの全体干渉を指示できる。同一チャンネル干渉指示値を監視、維持する方法に関しては、同じ出願者の2013年7月26日に中国国家知識産権局に提出した中国特許出願番号201310319684.7の明細書から探し出すことができ、それを引用できるため、ここでは詳しく述べない。また当該実施例では、仮に既知のマルチチャンネル割当技術を採用すると同時に、同一チャンネルで作動するアドホックネットワーク間の距離が所定距離より大きいことを考慮している。これは、同一チャンネルで作動するアドホックネットワークの各自のパワーをできる限り大きくなるようにするためである（前記第二パワー調整ステップS104のパワー影響の考慮から、各同一チャンネルのアドホックネットワーク間の距離が大きくなればなるほど、その各自のパワーは大きく、かつその他アドホックネットワークのQoSに影響を与えないまたはあまり影響しないように調整できる）。
【００３３】
一実施例では、前記第一パワー調整ステップS102及び/または第二パワー調整ステップS104及び/またはチャンネル割当ステップS105は、前記アドホックネットワーク内のマスターノードが行うことができる。このように、各アドホックネットワーク間で分散してパワーの大きさの調整、チャンネル割当などを行うことができ、規定外の専門の管理設備（例えばアクセスポイント設備）がこれらの動作を行う必要はない。
【００３４】
このようにして、比較的高い位置の優先順位を有する第1チャンネルで作動するアドホックネットワーク内の設備が第1チャンネルの比較的大きい（または最大）パワーに調整され、当該位置優先のアドホックネットワーク内の設備のデータ通信のQoSを高くできる。同時にその他アドホックネットワーク内の設備のデータのリアルタイム要求（送信すべきデータ種別及び優先順位）からフレキシブルにパワーを調整できる。さらに、その他アドホックネットワークのマスターノード設備及び/またはスレーブノードのパワーの大きさは、同一チャンネルで作動するアドホックネットワーク内の設備の各自のパワーをできる限り大きくでき、第一アドホックネットワーク内の設備に影響しない（またはあまり影響しない）ように調整され、そのQoSがよく、またその他アドホックネットワーク内の設備のパワー干渉許容限度を超えないようにして、その他アドホックネットワークのQoSが悪くならないように保証している。また、各アドホックネットワーク内のマスターノード設備により分散してパワーの大きさの調整、チャンネル割当などを行うことができ、規定外の専門の設備がこれらの動作を行う必要はない。
【００３５】
図2Aは、図1に示す制限エリアのアドホックネットワークの位置情報に基づくチャンネルパワー調整方法の第一設定ステップ例の応用シーン略図である。
【００３６】
図2Aは近距離無線通信（Near  Field  Communication，NFC）をベースにしたテーブルアドホックネットワークの開放空間内における可能な分布を表している。前述したように、このような開放空間は二次元または三次元である。ここでは、仮にこれを二次元空間、例えば一階層の各テーブル1-8とする（図2Aの示すように）。一定の座標系法則に従って、各テーブルアドホックネットワークに位置の優先順位、当該図2Aが示すような整数1から8を設定する。即ち、テーブル1には位置の優先順位1、テーブル2には位置の優先順位2……テーブル8には位置の優先順位8を設定する。ここで注意すべきことは、位置の優先順位の番号が小さいほど、その位置の優先順位の順位が高いことを表していることである。即ち、位置の優先順位1の位置の優先順位の順位が最高で、以下はこれによって類推する。位置の優先順位に基づいてこれらのテーブルアドホックネットワークを非常に重要な（Very  Important  Person，VIP）ネットワーク、普通ネットワーク、臨時ネットワークなどに区分する。当然のことながら、これは表示形式に過ぎず、実際は位置の優先順位の番号を位置の優先順位の順位と比例するように設定できる。注意すべきことは、図2Aの示す例は理想的な矩形配置であるが、実際には不規則である可能性があることである。ここでは一つ一つ例を挙げない。
【００３７】
各テーブルアドホックネットワーク内のマスターノード設備が各チャンネルの同一チャンネル干渉指示値をリアルタイム監視し、対応するリアルタイム監視表を形成していると仮定すると、それは具体的ある一つのチャンネル上のリアルタイム同一チャンネル干渉値の大きさを示している。同一チャンネル干渉指示値は各チャンネルのパケットロス率、遅延などのパラメータから計算できる。どのように同一チャンネル干渉指示値を計算、監視、維持するかという方法については、同一出願者が2013年7月26日に中国国家知識産権局に提出した中国特許出願番号201310319684.7の明細書から探し出すことができ、それを引用できるため、ここでは詳しく述べない。ここにおいて、各チャンネルの同一チャンネル干渉指示値を監視することで、アドホックネットワークの初期化（即ちマスターノードがアドホックネットワークを確立する）時に作動チャンネルを初期選択できる。具体的な例示的方法は図2Bを参照。
【００３８】
図2Bはアドホックネットワークの初期化例のフローチャートである。
【００３９】
図2Bは、アドホックネットワークの例示的初期化過程200を説明し、当該初期化過程は通常アドホックネットワークのマスターノードが完了する。具体的な過程は以下のステップを含む。
【００４０】
ステップS201：すべての使用可能なチャンネルをスキャン、監視し、各チャンネルの同一チャンネル干渉指示値の表を形成する。
【００４１】
ステップS202：リアルタイムの同一チャンネル干渉指示値の表の中で、現在の同一チャンネル干渉指示値が最小のチャンネルを当該マスターノードが確立するアドホックネットワークの作動チャンネルとして選択する。
【００４２】
ステップ203：当該マスターノードが続いて当該アドホックネットワークを確立し、かつ（例えば当該アドホックネットワークの境界への入る）可能な多くのスレーブノードの加入を管理し、マスターノードとスレーブノードを含む複数ノードのエリア制限のアドホックネットワークを形成する。
【００４３】
ステップS204：選択的に、協力情報の交換に用いるその他アドホックネットワークのマスターノードと通信接続を確立する。
【００４４】
図2Cは、アドホックネットワークの初期化例の応用シーン略図である。
【００４５】
図2Cでは、開放空間のおそらく存在する複数のアドホックネットワークの初期化過程例を示している。まず、マスターノード102-1が制限エリア20-1に入り、全てのチャンネルを監視し始め、全てのチャンネルの同一チャンネル干渉指示値を測定し、同時に自信を当該ネットワークのマスターノードとして認定し、その作動チャンネルを現在最小の同一チャンネル干渉指示値を有するチャンネル上に割り当てる。それから、別のノード103-1が当該エリアに入り、それがマスターノードの存在を発見すると、当該マスターノードが構築したアドホックネットワークへの加入をリクエストし、スレーブノードとする。注意すべきことは、ここでは、マスターノードが全てのその他スレーブノードとの連結を維持できることである。スレーブノードの認証、マスターノードとスレーブノードの加入、脱出、マスターノードとスレーブノードの切換などの機能は、同一申請者が2013年2月22日に中国国家知識産権局に提出した中国特許出願番号20130056656.0の明細書を参考にでき、それを引用できるため、ここでは詳しく述べない。
【００４６】
図2Dはアドホックネットワークの位置の優先順位と選択的なデータ種別の優先順位及び選択的なパワー干渉許容限度を含むパワー調整参考表を示す図である。
【００４７】
図2Dはパワー調整参考表を表し、それは例示的に具体的な四つの領域を含む。
【００４８】
位置座標：当該座標が具体的なアドホックネットワークの物理位置を定める（通常はその中心が表し、全てのネットワークのある制限区域を規則とする測定しやすい事務テーブルの形状、例えば矩形、円形などと仮定する）。当該事例では、この事務テーブルは6メートル×10メートルの二次元空間と仮定し（実際の開放空間はさらに大きいが、ここでは説明しやすくするための仮定に過ぎない）、この二次空間内でいくつかのテーブルの座標を定め、例えば最初のテーブルアドホックネットワークの中心位置は（1、5）の箇所とする。各アドホックネットワークの中心位置座標が定められた後、ネットワークの中心及びその上の各設備のおおよその位置も確定でき（例えば、例示的NFCテーブルアドホックネットワーク内では、例えば携帯電話といった各モバイル設備のおおよその位置は、モバイル設備のあるアドホックネットワークのいくつかのキー発射装置の発射サブ範囲を用いて確定できる）、さらに二つのネットワーク間及びその中の設備間距離も確定できる。注意すべきことは、当該例示システムでは、通常二つのネットワークは異なる位置座標を有していると感じるため、通常は任意の二つのネットワーク間の位置の優先順位は異なると考えられる。
【００４９】
位置の優先順位：当該過程の図1の説明でも述べていて、即ち、各ネットワークの位置に基づいて数値で表すことのできる位置の優先順位を設定する。ここでは、当該数値が小さいほど、位置の優先順位の順位は高くなる、即ちより優先になる。当然のことながらこれは例に過ぎず、数値が大きいほど、位置の優先順位が優先になるように設定することもできるが、ここでは例示しない。
【００５０】
耐パワー干渉許容限度：当該パワー干渉許容限度が当該アドホックネットワーク内の設備が最大限耐えられるパワー干渉を表している。当該パワー干渉許容限度は、当該パワー干渉許容限度を超えないときアドホックネットワーク内の設備のQoSは悪くなることはなく、当該パワー干渉許容限度を超えるときQoSは急激に悪くなることを意味する。当該値は、最高優先順位のアドホックネットワークを除くネットワーク内の設備のパワーの大きさを確定に用いることができる。
【００５１】
データ種別及び/またはデータ種別の優先順位：即ち、現在のネットワーク内の送信しなければならないデータ種別で、当該データ種別に基づいて、例えば具体的な整数値をデータ種別の優先順位として設定し（同じように、その値が小さいほど、データ種別の優先順位の順位は高く、より優先となる）、当該データ種別の優先順位は位置の優先順位と一緒に条件として図1に示す第一パワー調整ステップS202を行うのに用いることができる。
【００５２】
以上、四つの領域は前記パワー調整参考表を構成し、かつ各アドホックネットワーク内のマスターノードが当該パワー調整参考表を維持することができる。各マスターノードがパワー調整参考表に基づいてパワーの大きさを調整するなどの動作が行えるように、各ネットワーク間で当該パワー調整参考表を交換できる。当然のことながら、当該パワー調整参考表は例に過ぎず、ここでは制限とはせず、様々な状況で、いろいろな考えから、当該パワー調整参考表内の領域を増加または減少できる。
【００５３】
図3は本発明の別の実施例の制限エリアのアドホックネットワークの位置情報に基づくチャンネルパワー調整方法例のフローチャートである。
【００５４】
以下、図3を参考に図2Dの位置座標、位置の優先順位、データ種別の優先順位と耐パワー干渉許容限度を含むパワー調整参考表に基づいてチャンネルパワー調整を行う方法の一例を説明する。図2Dの当該パワー調整参考表は、各ネットワーク内部のリアルタイム交換情報に基づいて動的に変化でき、当該パワー調整参考表の維持する各領域の値がリアルタイムかつ現在のものであることを保証することに注意する。以下、図3に示す実施例のチャンネルパワー調整方法300の詳細ステップを紹介する。
【００５５】
ステップS301：以下のステップを含むアドホックネットワークの初期化。
【００５６】
1、全てのチャンネルの同一チャンネル干渉指示値をスキャン、監視する（図2AのステップS201に類似）。
【００５７】
2、それらの同一チャンネル干渉指示値に基づいて初期のチャンネルを作動チャンネルとして選択（図2AのステップS202に類似）、初期のチャンネルを作動チャンネルとして選択する方法はたくさんあり、例えば、最低同一チャンネル干渉指示値を有するチャンネルを選択する等があるが、これに制限されるものではない。
【００５８】
3、マスターノードがアドホックネットワークを形成する（図2AのステップS203-S204 に類似）。
【００５９】
4、初期のデータ種別を設定（初期のデータ種別を最高優先順位のデータ種別として設定できる）。このとき、まだいかなるデータの送信も開始していないため、ここではまず初期のデータ種別を設定する。当然のことながら、このステップは必須ではなく、初期のデータ種別を設定しなくてもよい。
【００６０】
ステップS302：図2Dに示す位置座標、位置の優先順位、データ種別の優先順位と耐パワー干渉許容限度を含むパワー調整参考表を形成する。
【００６１】
ステップS303：現在のリアルタイム情報を知るため、各アドホックネットワーク間で当該パワー調整参考表を交換する。
【００６２】
ステップS304：当該パワー調整参考表内の位置の優先順位とデータ種別の優先順位を抽出する（当然のことながら、これは随意の選択であり、実際は、位置優先順位を抽出するだけでよい。当該実施例では、位置の優先順位とデータ種別の優先順位の両者を抽出してより合理的にパワー調整している）。
【００６３】
ステップS305：当該位置の優先順位とデータ種別の優先順位から現在最高優先順位のアドホックネットワークを選択する。ここで注意すべきことは、二つの条件、即ち位置の優先順位とデータ種別の優先順位から最優先のネットワークを選択する方式はたくさんあり、例えば両者の加重結果の比較を利用する、または両者が形成する二次元座標を利用して原点からはなれた二次元距離などの方式で、ここでは一つ一つ例を挙げて説明する（実際にはさらに二つの優先順位が同じ場合を考慮する必要があり、このときの処理方法は比較的簡単で、例えば当該パワー調整参考表が形成したタイムスタンプ情報などから時間的により新しいものを選択するなどで、ここでは一つ一つ例を挙げて説明しない）。
【００６４】
注意すべきことが、ここで述べている最優先アドホックネットワークの選択は、同一チャンネルを共有する各アドホックネットワーク間で最優先のネットワークを選択してその内部の設備のパワーを当該チャンネル上の最大パワーに調整することであり、異なるチャンネル上のアドホックネットワーク内の設備のパワーをどのように調整するかは考慮しない。異なるチャンネル上のアドホックネットワークの設備間は多すぎる干渉が発生しないため、パワー調整の要望が少ない。即ち、本発明では、同一チャンネルを共有する各アドホックネットワークの位置の優先順位、データ種別の優先順位、耐パワー干渉許容限度、パワーの大きさ調整など考慮するだけでよい。
【００６５】
また、当該実施例では、簡潔にするため、最高優先順位を有するアドホックネットワーク内の設備が最大パワーを有するように調整することだけを考慮し、二つの並列した最高優先順位を考慮していない。即ち、同一チャンネルを共有する各アドホックネットワーク内には一つのVIPネットワークしか存在していない。当然のことながら、これは限定するものではなく、当業者であれば二つのVIPネットワーク内の設備のパワーを比較的大きなパワーに調整すること等を思いつけるので、ここでは一つ一つ例を挙げて説明しない。
【００６６】
ステップS305の選択では、現在のネットワークが最高優先順位であれば、ステップS306に進み、そうでなければステップS308に跳ぶ。
【００６７】
ステップS306：現在のネットワーク内の設備のパワーを作動チャンネルの最大パワーに調整し、正常なデータ送信を並行して行う。ここでは、作動チャンネルの最大パワーの大きさは予め設定でき、例えば当該作動チャンネルを共有するアドホックネットワークの数、当該作動チャンネルの帯域幅等によることができ、ここでは例を挙げない。
【００６８】
ステップS307：当該プロセス運行時、独立したスレッドが存在しネットワーク内部の送信しなければならないデータ種別の変化発生を監視し（例えば送信する動画がテキストファイルに変わり、その後空きになる、など）、かつこのような数量や型の変化発生時にすぐにデータ種別の優先順位を変更し、すぐにその他リアルタイムデータを送信しなければならないアドホックネットワーク内の設備をその最大パワーに調整する、またはその逆もしかりである。ここで注意すべきことは、データの空きは、大きな整数値で表すことができ（本発明の実施例では、数値が大きいほど、優先順位は小さい）、例えば8ビットで表すと、あきは最大値255で表すことができる。当然のことながら、当該ステップS307は必須ではない。
【００６９】
ステップS308：このステップでは、さらなるパワーの大きさの調整ができ（マスターノードが調整する）、当該ステップは最高優先順位のVIPネットワークがその他同一チャンネルのネットワークのパワー干渉を受けないようにでき、また、選択的に、その他非VIPのネットワーク間も各自の耐えられるパワー干渉許容限度を超えないようにできる。これは、以下のステップにより実現できる（当然のことながら、これは例に過ぎず、また必須のステップではない）。
【００７０】
第一ステップ：まず二つのネットワークの相対位置情報から、VIPネットワークを除く各ネットワークのマスターノードのパワーをその他ネットワークの境界に入らないように調整し、このようにしてVIPネットワークがその他ネットワークのパワー影響を受けないように保証している。ここでは、アドホックネットワーク（例えばNFCまたは赤外線が境界を定めたエリア制限ネットワーク）の境界がはっきりしているため、パワーがネットワーク境界に入らないように調整することは、簡単に実現できる。
【００７１】
第二ステップ：VIPネットワークを除く各ネットワークの耐パワー干渉許容限度から、各ネットワークのマスターノードのパワーのカバー範囲を各ネットワークの耐パワー干渉許容限度まで拡大する。
【００７２】
第三ステップ：前記ステップと類似する、各ネットワークのスレーブノードが前記パワーの大きさ調整を行う。
【００７３】
ステップS309はステップS307と類似し、当該プロセスでは各ネットワーク間の位置情報、位置の優先順位、データ種別の優先順位、耐パワー干渉許容限度の変化を監視するのに用いる別の独立したスレッドを設定できる。新しい変化を受信すると、応答後、ステップS310にスキップする（ここでの位置情報、位置の優先順位、データ種別の優先順位、耐パワー干渉許容限度は同一チャンネルの各ネットワーク間のブロードキャストであることに注意する）。
【００７４】
ステップS310は、選択的に、データ送信終了時、またはVIPルームを割り当てる必要のないときなど、現在ネットワーク状態をサスペンドし、各ノードが正常な送信状態に戻る。さらにステップS302に戻り、再度ステップS302-ステップS310を繰り返す。
【００７５】
このようにして、比較的高い位置優先順位を有する第1チャンネルで作動するアドホックネットワーク内の設備は第1チャンネルの比較的大きな（または最大）パワーを有するように調整され、当該位置優先のアドホックネットワーク内の設備のデータ通信のQoSを高くできる。同時に、その他アドホックネットワーク内の設備のデータのリアルタイム要求（送信すべきデータ種別及びその優先順位）からフレキシブルにパワーを割り当てることができる。また、その他アドホックネットワークのマスターノード及び/またはスレーブノードのパワーの大きさは、同一チャンネルで作動するアドホックネットワーク内の設備の各自のパワーをできるだけ大きく、かつ第一アドホックネットワーク内の設備に影響しない（またはあまり影響しない）ように調整され、そのQoSが良好で、またその他アドホックネットワーク内の設備のパワー干渉許容限度を超えないように保証することで、その他アドホックネットワークの設備のQoSが悪くならないようにしている。また、各アドホックネットワーク内のマスターノードにより、分散してパワーの大きさの調整、チャンネル割当などを行うことができ、これらの動作を行う規定外の専門の設備が不要となる。
【００７６】
図4は複数のアドホックネットワーク内の設備のチャンネルパワー調整方法例の運行シーケンス略図である。
【００７７】
図4は複数の同一チャンネルのアドホックネットワーク内のマスターノード間の交換とチャンネル割当、パワー調整プロセスの時間軸上の運行シーケンス略図である。具体的には、各ネットワークについて、ステップS401-S403はステップS201-S203に対応し、その後、その他ネットワークにその位置情報、位置の優先順位、データ種別及び/または優先順位、耐パワー干渉許容限度などを放送し、それからステップS306のパワー調整及び/またはステップS308のさらなるパワーの大きさ調整を行う。注意すべきことは、ステップS307は独立して存在するスレッドであるため、もともと最高優先順位のネットワークの送信すべきデータ種別に変化が起きたとき、再度ステップS302-S310を繰り返すことである。当然のことながら、当該図4の例示するシーケンス図は例に過ぎず、これに限るものではない。
【００７８】
図5A-5Bは本発明実施例の第二パワー調整ステップ（例えば、図3のステップS308のさらなるパワーの大きさの調整）の調整過程例の略図である。
【００７９】
図5A-5Bは、本発明実施例の第二パワー調整ステップ（例えば図1に示す方法100のステップS104と図3のステップS308）をさらに詳細に説明している。具体的には、最高位置の優先順位（または位置の優先順位とデータ種別の優先順位の加重結果の最高、例えば位置の優先順位×0.6とデータ種別の優先順位×0.4の結果など）を有するアドホックネットワーク1の設備を最大パワーに調整後、当該アドホックネットワーク1がチャンネル6で作動すると仮定すると、同じようにチャンネル6で作動するその他アドホックネットワーク、例えばアドホックネットワーク5と7の中の設備のパワーの大きさの調整を開始できる。
【００８０】
図5Aに示すように、まず、アドホックネットワーク1の中の各設備のパワーが最大になると、そのパワー範囲は図面5Aのアドホックネットワーク1周囲の色の濃い丸枠の示す範囲をカバーできる。さらに、アドホックネットワーク5と7の中の設備のパワーの大きさを調整する前に、当該アドホックネットワーク5と7の中の設備のパワーはその周囲の色の濃い丸枠の示す範囲をカバーできる。以上からわかるように、アドホックネットワーク5と7の中の設備のパワーはおそらく最高優先順位のアドホックネットワーク1の中の設備のデータQoSに影響（ひいては破壊）するため、そのパワー範囲が当該最高最適度のアドホックネットワーク1の中の設備のQoSに影響を及ぼさず、できるだけその他アドホックネットワーク内の設備のQoSを悪くしないように、アドホックネットワーク5と7の中の設備のパワーの大きさを調整する必要がある。
【００８１】
そのため、図5Bに示すように、当該チャンネル6で作動するアドホックネットワーク1を除くアドホックネットワーク5と7の中のマスターノードに対してそのパワーの大きさを調整することで、前記アドホックネットワークの5と7の中のマスターノードの前記アドホックネットワーク1のパワー影響をゼロまたは所定影響値未満にし、図5Bに示すアドホックネットワーク5と7の中のマスターノードのパワーのカバー範囲はアドホックネットワーク1の境界を超えない。及び/または前記アドホックネットワーク5と7の中のマスターノードに対してそのパワーの大きさを調整することで、前記アドホックネットワーク5と7の中のマスターノードの当該チャンネル6で作動するアドホックネットワーク1を除くアドホックネットワーク5と7のどちらか一方の中のマスターノードへのパワー影響はもう一方のアドホックネットワークのパワー干渉許容限度を超えない。図5Bに示すように、図3に示すステップS308の第一ステップを参考に、各アドホックネットワーク間の相対位置情報から、最高優先順位のアドホックネットワーク1内のマスターノードのパワーの大きさが変わらない場合、まず、アドホックネットワーク5内のマスターノードのパワーカバー範囲がその他アドホックネットワーク（例えばネットワーク1と7）の境界（アドホックネットワーク5の周囲の色の濃い実線丸枠を参照）を超えないようにし、かつアドホックネットワーク7内のマスターノードのカバー範囲がその他アドホックネットワーク（例えばネットワーク1と5）の境界（アドホックネットワーク7の周囲の色の濃い実線丸枠を参照）を超えないようにする。
【００８２】
続いて、図3に示すステップS308の第二ステップを参考に、例えばアドホックネットワーク7のマスターノードのパワーカバー範囲をその他ネットワーク（例えばアドホックネットワーク5）の耐えられるパワー干渉許容限度（アドホックネットワーク7の周囲の色の濃い破線丸枠を参照）まで拡大する。またアドホックネットワーク1の境界を超えてしまい、アドホックネットワーク1内のマスターノードのQoSに影響を与えてしまうため、各ネットワーク間の相対位置から、アドホックネットワーク5内のマスターノードのパワーカバー範囲をネットワーク5周囲の色の濃い破線丸枠まで拡大できない。当然のことながら、これは例に過ぎず、実際では、要望に応じて当該アドホックネットワーク5内のマスターノードのパワーカバー範囲はアドホックネットワーク1内のマスターノードのパワー干渉許容限度（例えば、ネットワーク5の周囲の色の濃い破線丸枠）まで拡大することができるが、ここでは制限しない。
【００８３】
続いて、選択的に、各アドホックネットワークのマスターノードノンパワーの大きさ（またはパワーカバー範囲）を調整後、前記ステップと類似した各ネットワーク内のスレーブノードのパワーの大きさ（またはパワーカバー範囲）を調整でき、図5B内のアドホックネットワーク7の周囲の色の薄い実線丸枠を参照する。
【００８４】
このようにして、その他アドホックネットワークのマスターノード及び/またはスレーブノードのパワーの大きさは、同一チャンネルで作動するアドホックネットワーク内の設備の各自のパワーをできる限り大きく、第一アドホックネットワーク内の設備に影響しない（または影響が小さくなる）ように調整され、そのQoSが良好で、その他アドホックネットワーク内の設備のパワー干渉許容限度を超えないようにして、その他アドホックネットワーク内の設備のQoSが悪くならないようにしている。
【００８５】
図6は、本発明の別の実施例の制限エリアのアドホックネットワークの位置情報に基づくチャンネルパワー調整システム600のブロック図である。
【００８６】
図6に示す制限エリアのアドホックネットワークの位置情報に基づくチャンネルパワー調整システム600は、複数のアドホックネットワークの位置情報に基づいて位置の優先順位を設定するように配置された第一設定装置601、少なくとも部分的に前記アドホックネットワークの位置の優先順位に基づき、所定規則を満たす第1チャンネルで作動する第一アドホックネットワーク内の設備のパワーを第1チャンネルの第一パワーに調整するように配置された第一パワー調整装置602を含む。
【００８７】
ここでは、当該複数のアドホックネットワークの位置情報は、例えば各アドホックネットワークの同一階層上にある二次元分布位置でも、または、例えばアドホックネットワークの異なる階層上にある三次元分布位置でもよい。また当該第一設定装置601 は、各アドホックネットワーク内のマスターノードが実行しても、オペレーターが実行しても、または専門の制御設備が実行してもよいなど、本発明はこれを制限しない。当該第1チャンネルの第一パワーは、所定パワーよりも大きいパワーまたは最大パワーでよい。
【００８８】
そのため、当該実施例では、複数のアドホックネットワークの位置情報から位置優先順位を設定でき、例えば、会社のメイン会議室内のアドホックネットワークに対して最高の位置の優先順位を設定し、一方で会社の喫茶室のアドホックネットワークに対して最低の位置の優先順位を設定するなどできる。このようにして、少なくとも部分的に前記アドホックネットワークの位置の優先順位に基づいて、所定規則を満たす第1チャンネルで作動する第一アドホックネットワーク内の設備のパワーを第1チャンネルの第一パワーに調整するとき、当該実施例では、例えば、当該会社のメイン会議室内のアドホックネットワーク内の（モバイルまたは有線）通信設備間の通信のパワーをその作動チャンネルの最大パワーに調整できる。さらに、各アドホックネットワークの位置の優先順位は定期的または不定期に調整でき、このようにして高優先順位のアドホックネットワークを動的に設定できる。例えば、重要なお客様が会社の喫茶室に座っているとき、リアルタイムで喫茶室のアドホックネットワークの位置の優先順位を高く調整し、重要なお客様の喫茶室内での通信設備間の通信を高いパワーに調整し、重要なお客様の喫茶室内でのデータ通信または送信を速くできる（即ち、QoSが高い）。
【００８９】
ここで、注意すべきことは、第1チャンネルの所定パワーよりも高いパワーまたは最大パワーは予め第1チャンネルの帯域幅、第1チャンネルを共有するアドホックネットワークの数などから設定できることである。
【００９０】
このようにして、高い位置の優先順位を備えた第1チャンネルで作動するアドホックネットワーク内の設備は第1チャンネルの大きい（または最大）パワーに調整され、当該位置の優先のアドホックネットワーク、例えばメイン会議室内の各通信設備間のデータ通信またはデータ送信が使用できるパワーを大きく（または最大に）することで、このようなデータ通信またはデータ送信のQoSを高くし、例えばメイン会議室はVIP（Very  Important  Person）ルームと同じようになる。
【００９１】
一実施例では、前記所定規則を満たす第1チャンネルで作動する第一アドホックネットワークは、位置の優先順位が所定位置の優先順位よりも高いアドホックネットワーク、位置の優先順位が最高のアドホックネットワークのいずれか一つを含む。つまり、位置の優先順位の高いアドホックネットワーク内の設備は、大きなパワーを持つように調整される。
【００９２】
一実施例では、当該チャンネルパワー調整システム600は、複数のアドホックネットワークの送信すべきデータ種別からデータ種別の優先順位を設定するように配置された第二設定装置603（図面には未表示）を含む。前記第一パワー調整装置602は、前記アドホックネットワークの位置の優先順位とデータ種別の優先順位に基づいて、所定規則を満たす第1チャンネルで作動する第一アドホックネットワーク内の設備のパワーを第1チャンネルの第一パワーに調整するように配置されることができる。当該実施例では、データ種別はデータのリアルタイム要求の高さから区分でき、例えば、データ種別は例えばリアルタイムデータ（例えば、動画または音声などその他リアルタイム要求の高いデータ）、ベストエフォートデータ（例えば、電子メールなどのデータ）、非リアルタイムデータ（例えば、ファイル、テキストまたはその他リアルタイム要求の低いデータ）などでよい。データ種別の優先順位を第1チャンネルの所定パワーよりも高いパワーまたは最大パワーに調整するときに考慮すべき条件の一つとして追加し、例えば前述のVIPルーム内でデータ送信がない、または非リアルタイムデータ送信しかない場合、第1チャンネルの所定パワーよりも高いパワーまたは最大パワーをその他非VIPルームのアドホックネットワーク内の設備に臨時調整してリアルタイムデータの送信を行う。
【００９３】
一実施例では、前記所定規則を満たす第1チャンネルで作動する第一アドホックネットワークは、位置の優先順位とデータ種別の優先順位の加重結果が所定順位よりも高いアドホックネットワーク、位置の優先順位とデータ種別の優先順位の加重結果が最高の一つまたは複数のアドホックネットワークのいずれか一つを含む。ここでは、二つの条件、位置の優先順位とデータ種別の優先順位を考慮してパワー調整を行っているため、この二つの条件に加重して得た大きさを比較するのに用いる加重結果を採用でき、それによって当該加重結果が高くて高いパワーを得られる調整を確定する。しかし、本発明はこれに限るものではなく、二つの条件を組み合わせて考えた他のいずれの方法もこれに応用でき、例えばVIPルームが非リアルタイムデータを送信する時のみ、リアルタイムデータまたはベストエフォートデータを送信すべきその他アドホックネットワーク内の設備を高いパワーに調整するよう考慮するように予め設定しておくなどで、ここでは詳しく述べない。
【００９４】
一実施例では、当該チャンネルパワー調整システム600は、第1チャンネルで作動する第一アドホックネットワークを除く第二アドホックネットワーク内の設備のパワーの大きさを調整することで、前記第二アドホックネットワーク内の設備の前記第一アドホックネットワーク内の設備へのパワー影響をゼロまたは所定影響値未満にするように配置された第二パワー調整装置604（図面には未表示）を含む。即ち、第二アドホックネットワークのパワーのカバー範囲は当該第一アドホックネットワークの境界に入らない。当該実施例の第二パワー調整ステップS104は、例えば前述のVIPルームの絶対的VIPは、最大のパワーを有し、その同一チャンネルを共有するその他アドホックネットワーク内の設備の同一チャンネル干渉を受けない（またはあまり受けない）ことを保証し、それによって例えばVIPルームの当該第一アドホックネットワーク内の送信するデータが非常に早く、かつミスが小さいことを保証する（即ち、QoSが高い）。このように、さらに第一アドホックネットワーク内の設備のQoSが高いことを保証している場合、第二アドホックネットワーク内の設備のパワーをできる限り大きくできる。
【００９５】
一実施例では、前記第二パワー調整装置604は、前記第二アドホックネットワーク内の設備のパワーの大きさを調整することで、前記第二アドホックネットワークの第1チャンネルで作動する第一アドホックネットワークを除く第三アドホックネットワークへのパワー影響が前記第三アドホックネットワーク内の設備のパワー干渉許容限度未満にするように配置されている。当該実施例では、さらに、例えばVIPルームの第一アドホックネットワークを除くその他同一チャンネルのアドホックネットワーク内の設備間のパワー影響が、その耐えられるパワー干渉許容限度を超えないようにする。当該パワー干渉許容限度は、当該アドホックネットワーク内の設備が最大限耐えられるパワー干渉を表す。当該パワー干渉許容限度は、当該パワー干渉許容限度を超えないときアドホックネットワーク内の設備のQoSは悪くなることはなく、当該パワー干渉許容限度を超えるときQoSは急激に悪くなることを意味する。当該パワー干渉許容限度の例示的な定義と計算方式はサイトhttp://en.wikipedia.org/wiki/Noise_temperatureを参考にし、またはPaul  J  Kolodzyのタイトル「Interference  temperature：a  metric  of  dynamic  spectrum  utilization」とする［外国語定期刊行物］2006(06)  doi：1002/nem.608の中から探し出すことができ、それを引用できるため、ここでは詳しく述べない。このように、つまり、第二アドホックネットワークのパワーのカバー範囲は第三アドホックネットワークの境界に入ることができるが、当該第三アドホックネットワーク内の設備のパワー干渉許容限度を超えない。このようにして、第三アドホックネットワークのQoSが非常に悪くならないように保証されている場合、第二アドホックネットワーク内の設備のパワーをできる限り大きくできる。
【００９６】
一実施例では、前記第三アドホックネットワーク内の設備のパワー干渉許容限度は前記第一アドホックネットワーク内の設備の前記第三アドホックネットワーク内の設備へのパワー影響を考慮しなくてもよい。このようにするのは、第一アドホックネットワーク内の設備が調整するパワーが大きくし、その他の同一チャンネルのアドホックネットワークが当該第一アドホックネットワーク内の設備が調整するパワーのカバー範囲によってそのパワー干渉許容限度を下げないのを保証するためである。
【００９７】
このようにして、同一チャンネルの全てのアドホックネットワーク内の設備は前記第二パワー調整装置604が行うステップを経た場合、最高優先の第一アドホックネットワークのパワーが高くなる以外、その他アドホックネットワーク内の設備のパワーの大きさは、第一アドホックネットワーク内の設備に影響しない（またはあまり影響しない）ように調整され、そのQoSが比較的よく、かつその他アドホックネットワーク内の設備のパワー干渉許容限度を超えないことでその他アドホックネットワークのQoSが悪くならないように保証している。
【００９８】
一実施例では、当該チャンネルパワー調整システム600は、パワー調整前に、前記複数のアドホックネットワークの位置情報に基づいて、前記複数のアドホックネットワークに対して作動するチャンネルを割り当てることで同じ第1チャンネルで作動するアドホックネットワーク間の距離が所定距離を上回るように配置された第一パワー調整ステップ前のチャンネル割当装置605（図面には未表示）を含む。当該チャンネル割当装置605のチャンネル割当ステップは、各アドホックネットワークの初期化（即ち生成）時に行っても、第一パワー調整ステップ前のいずれの時刻に行ってもよい。当該チャンネル割当ステップは、既知のマルチチャンネル割当技術を採用でき、例えば現時刻の各チャンネルの同一チャンネル干渉指示値を監視することで、同一チャンネル干渉指示値が最小のチャンネルを作動チャンネルなどとする方式を選択できる。当該同一チャンネル干渉指示値は当該チャンネルを共有する全てのアドホックネットワークの全体干渉を示すことができる。同一チャンネル干渉指示値を監視、維持する方法に関しては、同じ出願者が2013年7月26日に中国国家知識産権局に提出した中国特許出願番号201310319684.7の明細書から探し出すことができ、それを引用できるため、ここでは詳しく述べない。また当該実施例では、仮に既知のマルチチャンネル割当技術を採用すると同時に、同一チャンネルで作動するアドホックネットワーク間の距離が所定距離より大きいことを考慮している。これは、同一チャンネルで作動するアドホックネットワークの各自のパワーができる限り大きくなるようにするためである（前記第二パワー調整装置604のパワー影響の考慮から、各同一チャンネルのアドホックネットワーク間の距離が大きくなればなるほど、その各自のパワーは大きく、かつその他アドホックネットワークのQoSに影響を与えないまたはあまり影響しないように調整できる）。
【００９９】
一実施例では、前記第一パワー調整装置602及び/または第二パワー調整装置604及び/またはチャンネル割当装置605は、前記アドホックネットワーク内のマスターノードに含まれる。このように、各アドホックネットワーク間で分散してパワーの大きさの調整、チャンネル割当などを行うことができ、規定外の専門の管理設備（例えばアクセスポイント設備）がこれらの動作を行う必要はない。
【０１００】
このようにして、比較的高い位置の優先順位を有する第1チャンネルで作動するアドホックネットワーク内の設備が第1チャンネルの比較的大きい（または最大）パワーに調整され、当該位置の優先のアドホックネットワーク内の設備のデータ通信のQoSを高くできる。同時にその他アドホックネットワーク内の設備のデータのリアルタイム要求（送信すべきデータ種別及び優先順位）からフレキシブルにパワーを調整できる。さらに、その他アドホックネットワークのマスターノード設備及び/またはスレーブノードのパワーの大きさは、同一チャンネルで作動するアドホックネットワーク内の設備の各自のパワーをできる限り大きくでき、第一アドホックネットワーク内の設備に影響しない（またはあまり影響しない）ように調整され、そのQoSがよく、またその他アドホックネットワーク内の設備のパワー干渉許容限度を超えないようにして、その他アドホックネットワークのQoSが悪くならないように保証している。また、各アドホックネットワーク内のマスターノード設備により分散してパワーの大きさの調整、チャンネル割当などを行うことができ、規定外の専門の設備がこれらの動作を行う必要はない。
【０１０１】
注意すべきことは、本発明の各種所定の値はここでは一つ一つ例を挙げる必要はなく、当業者であれば実際の状況からどのように具体的な大きさの所定値を設定して大きい値または小さい値を選択する目的を達成するかよくわかっている。
注意すべきことは、本発明に関する長所、優位性、効果などは例に過ぎず、限定するものではなく、これらの長所、優位性、効果などは本発明の各実施例が必ず備えるべきものだと考えることはできない。
【０１０２】
本開示に関する部品、装置、設備、システムのブロック図は例示的な例に過ぎず、必ずブロック図に示す方法に従って接続、配列、配置することを意図または暗示していない。当業者が知り得た方法、いずれの方法でこれらの部材、装置、設備、システムを接続、配列、配置してもよい。例えば、「含める」「含む」「有す」などの用語は開放性用語であり、「含むが、それに限定されない」を指し、互いに互換使用できる。ここで使用している用語「または」と「及び」は単語「及び/または」を指し、互いに互換使用できる。文脈で明確に指し示していなければ、こうではない。ここで使用している用語「例えば」は、連語「例えば〜だが、それに限定されない」を指し、また互いに互換使用できる。
【０１０３】
本開示のステップローチャート及び以上の方法説明は例示的な例に過ぎず、必ず示した順序に従って各実施例のステップを実施することを意図または暗示していない。当業者が知り得た順序、いずれか順序で以上の実施例内のステップの順序を行ってもよい。例えば「その後」「それから」「次に」などの用語には、ステップの順序を限定する意図はない。これらの用語は、読者がこれらの方法の説明を通読するのを誘導するのに用いるに過ぎない。このほか、例えば冠詞「ひとつ」「一」または「該」を使用した単数に対する要素のいかなる引用も該要素を単数に限定するとは解釈されない。
【０１０４】
公開された方面の以上の説明を提供することで、当業者が本発明を作成または使用できるようにしている。これら方面への各種修正は、当業者にとって非常に明らかなものであり、またここで定義している一般原理はその他方面で本発明を逸脱しない範囲で応用できる。そのため、本発明はここに示した方面に限定される意図はなく、ここで開示している原理と新しい特徴と一致する最も広い範囲に従う。
【０１０５】
以上で述べている方法の各操作は対応する機能を実行できるいずれかの適切な手段により行う。該手段は各種ハードウェア及び/またはソフトウェアコンポーネント及び/またはモジュールを含むことができ、回路、特定用途向け集積回路（ASIC）、または処理器を含むがこれに限らない。
【０１０６】
ここで述べている機能の実行用に設計された汎用処理器、デジタル信号処理器（DSP）、ASIC、フィールドプログラマブルゲートアレイ（FPGA）またはその他プログラマブルロジックデバイス（PLD）、ディスクリートゲートまたはトランジスタロジック、離散したハードウェアコンポーネントまたはその任意の組合せを利用して、前記の各例示の論理ブロック、モジュールと回路を実現または実行できる。汎用処理器はマイクロ処理器でよいが、代替として、該処理器は商業上入手できるいずれの処理器、制御器、マイクロ制御器またはステートマシンでもよい。処理器はさらにコンピュータ設備の組合せ、例えばDSPとマイクロ処理器の組合せ、複数のマイクロ処理器、DSPとコア協同する一つまたは複数のマイクロ処理器または如何なるその他のこのような配置としても実現できる。
【０１０７】
本公開の説明する方法またはアルゴリズムを組み合せたステップは、ハードウェア、処理器が実行するソフトウェアモジュールまたはこの二つの組合せに直接組み込むことができる。ソフトウェアモジュールは如何なる形式の有形記憶媒体にも存在できる。使用できる記憶媒体は例えばランダムアクセスメモリ（RAM）、読取り専用メモリ（ROM）、フラッシュメモリ、EPROMメモリ、EEPROMメモリ、レジスタ、ハードディスク、リムーバブルディスク、CD-ROM等を含む。記憶媒体は該処理器が該記憶媒体から情報を読み取り及び該記憶媒体に情報を書き込むため、処理器に連結できる。代替方式では、記憶媒体は処理器と一体でもよい。ソフトウェアモジュールは一つのコマンドまたは多くのコマンドでよく、いくつかの異なるコードセグメント、異なるプログラム間、及び複数の記憶媒体を跨いで点在できる。
【０１０８】
ここで公開する方法は、前記の方法を実現するのに用いる一つまたは複数の動作を含む。方法及び/または動作は互いに入れ換えることができるが、請求項の範囲を逸脱することはできない。言い換えれば、動作の具体的順序を指定していなければ、具体的動作の順序及び/または使用を修正できるが、請求項の範囲を逸脱することはできない。
【０１０９】
前記機能はハードウェア、ソフトウェア、ファームウェアまたはその任意の組合せで実現できる。ソフトウェアによって実現する場合、機能は一つまたは複数のコマンドとして適切なコンピュータ可読媒体に保存できる。記憶媒体はコンピュータがアクセルできるいずれかの使用できる適切な媒体でもよい。限定するものではないが例として、このようなコンピュータ可読媒体には、RAM、ROM、EEPROM、CD-ROM、またはその他光ディスクメモリ、磁気ディスクメモリまたはその他磁気メモリ、またはコマンドまたはデータ構造形式の望ましいプログラムコードを携帯または保存するのに用い、かつコンピュータがアクセスできるいずれかのその他適切な媒体を含むことができる。ここで使用する磁気ディスク（disk）と光ディスク（disc）はコンパクトディスク（CD）、レーザーディスク(登録商標)、光ディスク、デジタルバーサタイルディスク（DVD）、フロッピー(登録商標)ディスク、ブルーレイディスクを含み、その中で磁気ディスクは磁気でデータを再現し、光ディスクはレーザー光学を利用してデータを再現する。
【０１１０】
そのため、コンピュータプログラム製品はここで定めた操作を行うことができる。例えば、このようなコンピュータプログラム製品は有形メモリ（及び/またはコード）上にコマンドを有するコンピュータ可読の有形媒体でよく、該コマンドは一つまたは複数の処理器が実行し、ここで述べる操作を行う。コンピュータプログラム製品はパッケージの材料を含むことができる。
【０１１１】
ソフトウェアまたはコマンドは伝送媒体通じて伝送する。例えば同軸ケーブル、光ファイバーケーブル、ツイストペアケーブル、デジタル加入者線（DSL）または赤外線、無線電波、またはマイクロ波の無線技術の伝送媒体を使用してサイト、サーバまたはその他リモートソースからソフトウェアを伝送できる。
【０１１２】
このほか、ここで述べている方法と技術を実行するのに用いるモジュール及び/またはその他適切な手段は適切なときユーザー端末及び/またはベースステーションがダウンロード及び/またはその他の方法で得ることができる。例えば、このような設備はサーバに連結してここで述べている方法を行うのに用いる手段の伝送を促進する。または、ユーザー端末及び/またはベースステーションが該設備に連結しているまたは該設備に記憶部材を提供しているとき各種方法を得られるように、ここで述べている各種方法は記憶部材（例えばRAM、ROM、CDまたはフロッピーディスクなどの物理記憶媒体）を経由して提供できる。また、ここで述べている方法と技術を設備に提供するのに用いるいずれかのその他適切な技術を利用できる。
【０１１３】
その他例と実現方法は、本公開と請求項の範囲と精神内にある。例えば、ソフトウェアの本質により、前記機能は処理器、ハードウェア、ファームウェア、ハードワイヤードまたはこれらの任意の組合せが実行するソフトウェアを使用して実現できる。機能を実現する特性は物理的に各位置にあり、機能の一部が異なる物理的位置で実現できるように分配されることを含む。また、ここで使用することものであり、請求項で使用するものも含めて、「少なくとも一つ」で始まる項の列挙の中で使用する「または」は分離の列挙を示し、例えば「A、BまたはCの少なくとも一つ」の列挙はAまたはBまたはC、ABまたはACまたはBC、ABC（即ちA及びB及びC）を意味する。また「例示的」は説明する例が最適なものまたはその他例よりもよいことを意味しない
請求項が定義する指導的技術を外れない範囲で、ここで述べている技術の各種修正、入れ替え、変更を行うことができる。まや、本公開と請求項の範囲は、前記処理、機器、製造、事件の構成要素、手段、動作の具体的方面を限定するものではない。ここで述べている相応方面は基本的に同じ機能を実施または基本的に同じ結果を実現する現在存在するまたは今後開発する処理、機器、製造、事件の構成要素、手段、方法、動作を利用できる。そのため、請求項はその範囲内のこのような処理、機器、製造、事件の構成要素、手段、方法または動作を含む。
【図１】
2015097388.tif 000004
【図２Ａ】
2015097388.tif 000005
【図２Ｂ】
2015097388.tif 000006
【図２Ｃ】
2015097388.tif 000007
【図２Ｄ】
2015097388.tif 000008
【図３】
2015097388.tif 000009
【図４】
2015097388.tif 000010
【図５】
2015097388.tif 000011
【図６】
2015097388.tif 000012